【手続補正書】
【提出日】平成16年7月7日(2004.7.7)
【手続補正１】
【補正対象書類名】特許請求の範囲
【補正対象項目名】全文
【補正方法】変更
【補正の内容】
【特許請求の範囲】
【請求項１】
選択された化学基の選択された表面密度を有するコーティングを基材の表面に形成する方法であって、該方法は、以下の工程：
（ａ）該表面を、大気圧または大気圧付近で形成されたプラズマで処理して、該表面上に１以上の活性種を形成する工程；
（ｂ）該処理を、該活性種の所望の表面密度が形成されるまで連続する工程；
（ｃ）該処理した表面を、該活性種を安定な官能基に変換するに有効な条件下で、選択された気体または液体に曝す工程；および
（ｄ）必要に応じて、該曝された表面を、表面修飾基を該官能基に共有結合させるに有効な条件下で、該表面修飾基に接触させる工程、
を包含する方法であって、
ここで該表面上の該選択された化学基は、該安定な官能基であるか、または該安定な官能基に共有結合された該表面修飾基である、方法。
【請求項２】
請求項１に記載の方法であって、前記処理する工程は、前記基材の表面を通してまたは該表面に対して前記プラズマを流動させるか、または該プラズマで濃縮された半拘束空間内に該基材を維持することにより行われる、方法。
【請求項３】
請求項２に記載の方法であって、前記基材は、管状形状を有し、前記プラズマは、該基材の内表面に対して流動する、方法。
【請求項４】
請求項２に記載の方法であって、前記基材は、管状形状を有し、前記プラズマは、該基材の外表面と周辺基材の内表面との間を流動して、該プラズマを拘束および拡張する、方法。
【請求項５】
請求項１〜４のいずれか１項に記載の方法であって、前記表面は、非多孔性ポリマーまたは多孔性ポリマーである、方法。
【請求項６】
請求項５に記載の方法であって、前記表面は、多孔性の発泡ＰＴＦＥである、方法。
【請求項７】
請求項２〜６のいずれか１項に記載の方法であって、前記プラズマは、キャリアガスと、酸素、水、アンモニア、水酸化アンモニウム、有機アミン、アルコール、アルデヒド、カルボン酸およびエステルからなる群より選択される、１０％未満の気体または蒸気とから形成される、方法。
【請求項８】
請求項１〜７のいずれか１項に記載の方法であって、前記表面を、生体活性薬剤または生体適合性薬剤と接触させて、共有結合または非共有結合を介して該生体活性薬剤または生体適合性薬剤を該表面に結合する工程をさらに包含する、方法。
【請求項９】
請求項８に記載の方法であって、前記生体活性薬剤または生体適合性薬剤は、タンパク質、ペプチド、アミノ酸、炭水化物、および核酸からなる群より選択され、各々は、分子または細胞の特異的部分および相補的部分に非共有結合的に結合され得る、方法。
【請求項１０】
請求項８に記載の方法であって、前記生体活性薬剤または生体適合性薬剤は、抗血栓因子、細胞接着因子、レセプター、リガンド、増殖因子、抗生物質、および酵素からなる群より選択される、方法。
【請求項１１】
請求項１０に記載の方法であって、前記抗血栓因子は、ヘパリン、ヒルジン、リジン、プロスタグランジン、ストレプトキナーゼ、ウロキナーゼ、およびプラスミノゲン活性化因子からなる群より選択される、方法。
【請求項１２】
請求項１０に記載の方法であって、前記細胞接着因子は、表面接着分子および細胞−細胞接着分子からなる群より選択される、方法。
【請求項１３】
請求項１２に記載の方法であって、前記表面接着分子は、ラミニン、フィブロネクチン、コラーゲン、ビトロネクチン、テネイシン、フィブリノゲン、トロンボスポンジン、オステオポンチン、フォン・ビルブラント因子、および骨シアロタンパク質、ならびにそれらの活性ドメインからなる群より選択される、方法。
【請求項１４】
請求項１２に記載の方法であって、前記細胞−細胞接着分子は、Ｐ１５である、方法。
【請求項１５】
請求項１２に記載の方法であって、前記細胞−細胞接着分子は、Ｎ−カドヘリンおよびＰ−カドヘリン、ならびにそれらの活性ドメインからなる群より選択される、方法。
【請求項１６】
請求項１０に記載の方法であって、前記増殖因子は、線維芽細胞増殖因子、上皮細胞増殖因子、血小板由来増殖因子、トランスホーミング増殖因子、血管内皮増殖因子、骨形態形成タンパク質、および神経成長因子からなる群より選択される、方法。
【請求項１７】
請求項１０に記載の方法であって、前記リガンドまたはレセプターは、抗体、抗原、アビジン、ストレプトアビジン、ビオチン、ヘパリン、ＩＶ型コラーゲン、プロテインＡ、およびプロテインＧからなる群より選択される、方法。
【請求項１８】
請求項１０に記載の方法であって、前記抗生物質は、抗生物質ペプチドからなる群より選択される、方法。
【請求項１９】
請求項８に記載の方法であって、前記生体活性薬剤または生体適合性薬剤は、酵素を含む、方法。
【請求項２０】
請求項８に記載の方法であって、前記生体活性薬剤または生体適合性薬剤は、相補的配列に選択的に結合し得る核酸配列を含む、方法。
【請求項２１】
請求項８〜２０のいずれか１項に記載の方法であって、前記生体活性薬剤または生体適合性薬剤は、０．０１〜１０００ｎｍｏｌ／ｃｍ２の密度で前記表面に結合される、方法。
【請求項２２】
請求項２１に記載の方法であって、前記生体活性薬剤または生体適合性薬剤は、０．５〜３０ｎｍｏｌ／ｃｍ２の密度で前記表面に結合される、方法。
【請求項２３】
請求項２１または２２に記載の方法であって、前記生体活性薬剤または生体適合性薬剤は、２〜２０ｎｍｏｌ／ｃｍ２の密度で前記表面に結合される、方法。
【請求項２４】
請求項２１〜２３のいずれか１項に記載の方法であって、前記生体活性薬剤または生体適合性薬剤は、８〜１５ｎｍｏｌ／ｃｍ２の密度で前記表面に結合される、方法。
【請求項２５】
請求項１〜２４のいずれか１項に記載の方法であって、前記曝す工程は、前記表面を、全て気体形態にある空気、アンモニア、酸素、ならびに全て液体形態にある水、水酸化アンモニウム、およびヒドラジンからなる群より選択される物質と接触させる工程により行われる、方法。
【請求項２６】
請求項１〜２５のいずれか１項に記載の方法であって、前記表面修飾基は、無水物、アルコール、酸、アミン、エポキシ、イソシアネート、シラン、ハロゲン化基、および重合可能な基からなる群より選択される多官能性リンカーである、方法。
【請求項２７】
請求項２６に記載の方法であって、前記多官能性リンカーは、ハロゲン化カルボン酸である、方法。
【請求項２８】
請求項２７に記載の方法であって、前記ハロゲン化カルボン酸は、クロロ酢酸、クロロ酪酸、およびクロロ吉草酸からなる群より選択される、方法。
【請求項２９】
請求項２６に記載の方法であって、前記多官能性リンカーは、その骨格中に２〜２０個の炭素原子を有する少なくとも１つの分子から構成される、方法。
【請求項３０】
請求項２９に記載の方法であって、前記多官能性リンカーは、ヘテロ官能性分子から形成されるストリングである、方法。
【請求項３１】
請求項２９に記載の方法であって、前記多官能性リンカーは、交互のホモ官能性分子から形成されるストリングである、方法。
【請求項３２】
以下の工程を包含するプロセスにより調製される、選択された化学基の選択された表面密度を有するコーティングを有する基材であって、該工程は、以下：
（ａ）該表面を、大気圧または大気圧付近で形成されたプラズマで処理して、該表面上に１以上の活性種を形成する工程；
（ｂ）該処理を、該活性種の所望の表面密度が形成されるまで連続する工程；
（ｃ）該処理した表面を、該活性種を安定な官能基に変換するに有効な条件下で、選択された気体または液体に曝す工程；および
（ｄ）必要に応じて、該曝された表面を、表面修飾基を該官能基に共有結合させるに有効な条件下で、該表面修飾基に接触させる工程、
であり、ここで該表面上の該選択された化学基は、該安定な官能基であるか、または該安定な官能基に共有結合された該表面修飾基である、
基材。